(57)【要約】【課題】  ランヤード先端のフックの構造物への取付点を高くしても作業性が良好であり、かつ装着性の良い２本の巻取り式ランヤードを備えたハーネス型安全帯を提供する。【解決手段】  ２本のランヤードをストラップの巻取り式としてハーネス型安全帯１の背中に取り付け、その巻取り器２２を作業者の肩部の肩掛けベルト１１に仮固定することにより、巻取り式ランヤード２のストラップ２３が作業者の肩越しに前側に来るように配置されて、作業性が向上する。また、巻取り式ランヤード２先端のフック２４の構造物への取付点が高い場合でも作業性に影響を及ぼさず、安全性も向上する。更に、巻取り式ランヤード２の重量が作業員の前後に分散され、かつ作業員の肩部に加わるため、作業者はその重量で後ろ側に引かれることなく、ハーネス型安全帯１をセットし易い、また装着後も装着感が良い、という装着性が向上する。【選択図】  図１
2011224257.tif 000002
【特許請求の範囲】
【請求項１】
肩掛けベルト(11)と、腿掛けベルト(12)を備えたハーネス型安全帯(１)であって、
基部にショックアブソーバ(21)を備え、先端にフック(24)を連結したストラップ(23)を出し入れ自由に巻き取った巻取り器(22)を備えた２本の巻取り式ランヤード(２)を、前記ハーネス型安全帯(１)の背中部分に連結し、
前記ハーネス型安全帯(１)を装着した作業者の両肩部上に、それぞれの前記巻取り器(22)が位置するよう、前記肩掛けベルト(11)に仮固定することを特徴とする２本の巻取り式ランヤードを備えたハーネス型安全帯。
【請求項２】
ダミーベルト(31)に、面ファスナーのフック面(32)と、面ファスナーのループ面(33)と、を縫着した仮留め具(３)の、
前記ダミーベルト(31)を、前記巻取り器(22)に設けたベルト通し(221)に挿入し、前記面ファスナーのフック面(32)と前記面ファスナーのループ面(33)を、前記肩掛けベルト(11)を巻き込んで接合することを、
前記仮固定手段として構成したことを特徴とする請求項１に記載の２本の巻取り式ランヤードを備えたハーネス型安全帯。
【請求項３】
巻取り器(41)に、面ファスナーのフック面(42)と、面ファスナーのループ面(43)と、を固定し、
前記面ファスナーのフック面(42)と前記面ファスナーのループ面(43)を、前記肩掛けベルト(11)を巻き込んで接合することを、
前記仮固定手段として構成したことを特徴とする請求項１に記載の２本の巻取り式ランヤードを備えたハーネス型安全帯。
【発明の詳細な説明】
【技術分野】
【０００１】
本発明は、主として高所作業において使用する安全ベルトに関するものであり、特にはフルハーネス安全帯に関する。
【背景技術】
【０００２】
高所での作業現場において、作業者は落下事故を防止するために安全帯を着用している。この安全帯は、胴ベルト型とハーネス型に大別されるが、肩掛けベルト、腿掛けベルトより構成されるハーネス型安全帯は、胴ベルト型安全帯に比べ、墜落阻止時における落下衝撃荷重が分散され、身体に与える損傷を低減させることができる。また、ハーネス型安全帯を装着した作業者は、落下阻止後に救助されるまでの間を、安定した姿勢で待つことができる。
【０００３】
このような理由から、現在は国内でもハーネス型安全帯が多く使用されるようになっている。このハーネス型安全帯が、天井等に設置されたワイヤ式又はベルト式の巻取り式墜落防止装置と併用される場合、巻取り式墜落防止装置のフックが、ハーネス型安全帯の背中のＤ環に直付け又は連結ベルトを介して連結されている。
また、胴ベルト型安全帯の替わりにハーネス型安全帯を使用する場合、ランヤードと呼ばれるフック付きのロープを、ハーネス型安全帯の背中のＤ環に取り付けて使用する。
ここで、胴ベルト型でもハーネス型でも、作業者が落下の危険性がある作業場所から次の作業場所へと移動するとき等はフックの掛け替えが必要となる。このようなときはランヤード２本を取り付けて、どちらかのフックを構造物と連結させ、無胴綱状態を回避している。
【０００４】
また現在、胴ベルト型安全帯のランヤードには、ストラップの巻取り式が多く使用されている。これは、従来のロープ式ランヤードでは、フックを構造物に掛けた際にロープがたるみ、作業員が移動する際に構造物に引っ掛かることが多々あり、特に、回転部がある作業場所では、その回転部に巻き込まれる恐れがあるためである。また溶接作業等では、弛んだロープが高温部に触れ、ロープが損傷する恐れもある。
更にハーネス型安全帯の場合、ランヤードの取付点が背中のＤ環となるため、作業者の視界外となる部分が多く、装着時にＤ環の位置が腰部となる胴ベルト型安全帯に比べて、より危険性が増すこととなり、ストラップの巻取り式ランヤードは、このような状態を回避するものである。
【０００５】
従来のランヤード２本を取り付けたハーネス型安全帯としては、特開第２００９−６６２５９号公報のものがある。これは、コイル状に形成したロープ２本をＤ環に取り付け、一つのショックアブソーバを介して、ハーネス型安全帯に連結したものである。
しかしながら前記従来品は、ランヤードのハーネス型安全帯への取付箇所が背中のＤ環であるため、ランヤード先端のフックを構造物に掛止したとき、作業者の脇の下をロープが通ることもあり、作業性の悪いものであった。また、コイル状に形成したロープであるが、構造物に引っ掛かる危険性が残るものであった。
更に、ランヤード２本の重量が全てハーネス型安全帯の背中のＤ環に加わるため、作業者は、ハーネス型安全帯の装着時にセットし難い、装着後もその重量で後ろ側に引かれ装着感が悪い、という装着性に劣るものであった。
【先行技術文献】
【特許文献】
【０００６】
【特許文献１】特開第２００９−６６２５９号公報
【発明の概要】
【発明が解決しようとする課題】
【０００７】
本発明が解決しようとする主な問題点は、従来の２本の巻取り式ランヤードを備えたハーネス型安全帯では、使用状態においてランヤードのロープが作業者の脇の下を通り作業性が悪い点と、ランヤード２本の重量が全てハーネス型安全帯の背中のＤ環に加わり装着性に劣る点である。
【０００８】
また、ランヤード先端のフックの構造物への取付点は、万が一落下した際の衝撃荷重を低減するために、ハーネス型安全帯の背中のＤ環より高いことが望ましい。
特許文献１に記載の安全ベルトの問題点は、ランヤード２本を取り付けることにより無胴綱状態は回避できるが、ランヤード先端のフックを構造物に掛止したとき、作業者の脇の下をロープが通ることとなり、作業性の悪い点である。ランヤード先端のフックの構造物への取付点を高くしたとき、作業性は更に悪くなる。このような状態で万が一落下した場合、ランヤードが脇に引っ掛かり人体に損傷を及ぼすことも考えられる。
また、ランヤード２本の重量が全てハーネス型安全帯の背中のＤ環に加わるため、作業者は、ハーネス型安全帯の装着時にセットし難い、装着後もその重量で後ろ側に引かれ装着感が悪い、という装着性に劣る点である。
【０００９】
そこで本発明は、ランヤード先端のフックの構造物への取付点を高くしても作業性が良好であり、かつ装着性の良い２本の巻取り式ランヤードを備えたハーネス型安全帯の提供を目的としている。
【課題を解決するための手段】
【００１０】
上記課題を解決するために、本発明は、２本のランヤードをストラップの巻取り式としてハーネス型安全帯の背中のＤ環に取り付け、それぞれの巻取り器を作業者の両肩部のベルトに仮固定することにより、ランヤードのストラップが作業者の肩越しに前側に来るように配置するものである。
万が一落下した際に衝撃荷重が加わったとき、巻取り器が作業者の肩部のベルトより外れ、落下衝撃荷重がハーネス型安全帯の背中のＤ環に加わるよう、巻取り器は作業者の肩部のベルトに完全固定せずに、仮固定したものである。
【００１１】
この仮固定手段として、ダミーベルト３１に、面ファスナー（フック面）３２と面ファスナー（ループ面）３３とを縫着した仮留め具３のダミーベルト３１を、前記巻取り器２２に設けたベルト通し２２１に挿入し、面ファスナー（フック面）３２と面ファスナー（ループ面）３３を、ハーネス型安全帯１の肩掛けベルト１１を巻き込んで接合したものである。
また別の仮固定手段として、巻取り器４１に、直接、面ファスナー（フック面）４２とループ面４３を鋲着し、面ファスナー（フック面）４２と面ファスナー（ループ面）４３を、ハーネス型安全帯１の肩掛けベルト１１を巻き込んで接合したものである。
【発明の効果】
【００１２】
前記２本の巻取り式ランヤードを備えたハーネス型安全帯の巻取り器を作業者の両肩部のベルトに仮固定することにより、ランヤードのストラップが作業者の肩越しに前側に配置され、作業性が向上し、ランヤード先端のフックの構造物への取付点が高い場合でも作業性に影響を及ぼさず、安全性も向上する。
【００１３】
また、ランヤードの重量が作業員の前後に分散され、かつ作業員の肩部に加わるため、作業者はその重量で後ろ側に引かれることなく、ハーネス型安全帯をセットし易い、また装着後も装着感が良い、という装着性が向上する。従って、作業員は本発明の２本の巻取り式ランヤードを備えたハーネス型安全帯を、長時間装着しても疲労が少ない。
【図面の簡単な説明】
【００１４】
【図１】図１は、本発明の実施形態に係る２本の巻取り式ランヤード２を備えたハーネス型安全帯１が示された正面図及び部分側面図である。
【図２】図２は、本発明の実施例１に係る２本の巻取り式ランヤード２がＤ環１４に連結された状態を示す正面図である。
【図３】図３は、本発明の実施例１に係る仮留め具３を示す正面図及び側面図である。
【図４】図４は、本発明の実施例１に係る仮留め具３が巻取り器２２にセットされた状態を示す側面図及び背面図である。
【図５】図５は、作業者が本発明の実施例１に係る２本の巻取り式ランヤード２を備えたハーネス型安全帯１を装着した状態を示す正面図である。
【図６】図６は、作業者が本発明の実施例１に係る２本の巻取り式ランヤード２を備えたハーネス型安全帯１を装着した状態を示す側面図である。
【図７】図７は、本発明の実施例２に係る面ファスナー付き巻取り器４を示す背面図及び底面図である。
【発明を実施するための形態】
【００１５】
＜２本の巻取り式ランヤード２を備えたハーネス型安全帯の構成＞
以下、図面を参照しつつ本発明に係る実施の形態について説明する。図１(ａ)及び図１(ｂ)は、２本の巻取り式ランヤード２を備えたハーネス型安全帯１が示された正面図及び部分側面図である。このハーネス型安全帯１は、一対の肩掛けベルト１１ａ，１１ｂと、一対の腿掛けベルト１２ａ，１２ｂと、連結環１３と、Ｄ環１４と、２本の巻取り式ランヤード２，２と、を備えている。
【００１６】
図１(ａ)に示すように、前記ハーネス型安全帯１は、装着状態の背部において一対の肩掛けベルト１１ａ，１１ｂが、連結環１３の長穴に挿入されて交差し、作業者の両肩に掛かる大きさの環状に縫製されている。また、バックルにより連結することで作業者の腿部を巻ける大きさの環状となるように、一対の腿掛けベルト１２ａ，１２ｂが、一対の肩掛けベルト１１ａ，１１ｂと一体で形成されている。
【実施例１】
【００１７】
以下、本発明の実施例１について説明する。図２は、２本の巻取り式ランヤード２，２がＤ環１４に連結された状態を示す正面図である。この巻取り式ランヤード２は、その基部にショックアブソーバ２１を備え、先端にフック２４を連結したストラップ２３を出し入れ自由に巻き取った巻取り器２２を備え、その巻取り器２２に仮留め具３を備えている。
【００１８】
図１及び図２に示すように、２本の前記巻取り式ランヤード２，２は、前記ハーネス型安全帯１のＤ環１４に縫着されている。
本実施例では、巻取り式ランヤード２のショックアブソーバ２１の一端を、Ｄ環１４に縫合しているが、カラビナ、フック等により連結してもよい。また、Ｄ環１４を介さずに連結環１３に取り付けてもよいし、一対の肩掛けベルト１１ａ，１１ｂに、直接縫合して固定してもよい。
【００１９】
図２に示すように、前記巻取り式ランヤード２は、周知のストラップ巻取り式のランヤードであり、巻取り器２２より繰り出されるストラップ２３の先端にフック２４が取り付けられている。また、巻取り器２２のストラップ２３の繰り出し部と対峙する側に、ショックアブソーバ２１が連結されている。このショックアブソーバ２１は、万が一落下した場合に人体に加わる衝撃荷重を緩和するためのものであるが、巻取り式ランヤード２に必須の物ではない。
【００２０】
図３(ａ)及び図３(ｂ)は、仮留め具３を示す正面図及び側面図である。図３(ａ)及び図３(ｂ)に示すように、仮留め具３は、巻取り器２２に取り付けるためのダミーベルト３１に、面ファスナー（フック面）３２と、面ファスナー（ループ面）３３が縫合されている。
【００２１】
図４(ａ)及び図４(ｂ)は、仮留め具３が巻取り器２２にセットされた状態を示す側面図及び背面図である。巻取り器２２は、胴ベルト型安全帯に取り付けて使用するとき、一対のベルト通し２２１に安全帯の胴ベルトを通して使用される。仮留め具３のダミーベルト３１は、その安全帯の胴ベルトと同材質で同幅同厚の形状であり、図４(ａ)及び図４(ｂ)に示すように、仮留め具３は巻取り器２２の一対のベルト通し２２１に通してセットされる。この一対のベルト通し２２１は、巻取り器２２の背面（作業者が胴ベルト型安全帯を装着したときの、作業者の身体側）に、巻取り器２２の重量をバランスよく保持する間隔で設けられている。
【００２２】
ここで、仮留め具３のダミーベルト３１の長手方向の長さ、すなわちベルトの切断寸法Ｌは、巻取り器２２の背面に配置された一対のベルト通し２２１に、その対峙する側より挿入が可能であり、かつベルトの剛性によりランヤードの自重を十分に保持できる長さである。
【００２３】
また、巻取り器２２にセットされた仮留め具３は、ダミーベルト３１に縫着された面ファスナー（フック面）３２と、面ファスナー（ループ面）３３により、ハーネス型安全帯１の肩掛けベルト１１ａ及び１１ｂに、そのベルトを巻き込んで接合し、仮固定が可能である。
【００２４】
図５及び図６は、作業者が本発明の実施例１に係る２本の巻取り式ランヤード２を備えたハーネス型安全帯１を装着した状態を示す正面図及び側面図である。図５及び図６に示すように、２本の巻取り式ランヤード２，２のそれぞれの巻取り器２２，２２は、作業者の両肩部上の肩掛けベルト１１ａ，１１ｂに仮固定されている。
この状態で、２本の巻取り式ランヤード２，２のそれぞれのストラップ２３，２３は、作業者の肩越しに前側に来るように配置されている。このように、ストラップ２３，２３及びフック２４，２４が前側に来ることにより、作業性が向上し、巻取り式ランヤード２の先端のフック２４の、構造物への取付点が高い場合でも作業性に影響を及ぼさず、安全性も向上する。
【００２５】
また、巻取り式ランヤード２，２の重量が作業員の前後に分散され、かつ作業員の肩部に加わるため、作業者はその重量で後ろ側に引かれることなく、ハーネス型安全帯１をセットし易い、また装着後も装着感が良い、という装着性が向上する。従って、作業員は本発明の２本の巻取り式ランヤード２，２を備えたハーネス型安全帯１を、長時間装着しても疲労が少ない。
【００２６】
更に本実施例では、巻取り式ランヤード２，２のその一方又は両方を使用しないとき、そのフック２４，２４は、フックハンガー１５，１５に掛けられる。本実施例のランヤードはストラップ巻取り式であり、ストラップ２３，２３は巻取り器２２，２２に巻き取られていれば、フック２４，２４を自由にしておいてもよい。しかしながらが、フック２４，２４をフックハンガー１５，１５に掛けることにより、更に作業性は向上する。
本実施例では、フックハンガー１５にフック２４を掛けているが、収納袋のようなものにフック２４を収納してもよい。
【００２７】
また、前記巻取り器２２，２２は、作業者の両肩部上で、肩掛けベルト１１ａ，１１ｂに完全固定せずに、仮固定されている。従って、万が一作業者が落下して衝撃荷重が加わったとき、巻取り器２２が作業者の両肩部上の肩掛けベルト１１ａ又は１１ｂより外れ、落下衝撃荷重がハーネス型安全帯の背中のＤ環１４に加わる。このＤ環１４に落下衝撃荷重が加わることにより、墜落阻止時における落下衝撃荷重が分散され、身体に与える損傷を低減させることができる。
【実施例２】
【００２８】
以下、本発明の実施例２について説明する。上記実施例１と説明の重複する部分については同一の符号を付して説明を省略し、実施例１に対し、実施例２のうち差異を有する構造のみについて説明する。
【００２９】
図７(ａ)及び図７(ｂ)は、本発明の実施例２に係る面ファスナー付き巻取り器４を示す背面図及び底面図である。図７(ａ)及び図７(ｂ)に示すように、巻取り器４１の背面に、面ファスナー（フック面）４２と面ファスナー（ループ面）４３が、リベット４４，４４で鋲着されている。本実施例では、鋲着部分のベルトの耐久性を向上させるために、大径平座金４５，４５で面ファスナー（フック面）４２と面ファスナー（ループ面）４３を押さえ込んで鋲着している。この取付方法として、ビス等で螺着してもよい。また押さえ部材として、大径平座金４５に換えて、板材、ベルトを使用してもよい。
【００３０】
作業者は、前記面ファスナー付き巻取り器４の面ファスナー（フック面）４２と面ファスナー（ループ面）４３を、ハーネス型安全帯１の肩掛けベルト１１を巻き込んで接合し、巻取り式ランヤード２，２を仮固定する。この実施例２の２本の巻取り式ランヤード２を備えたハーネス型安全帯１は、実施例１と同様に、巻取り式ランヤード２の先端のフック２４の構造物への取付点を高くしても作業性が良好であり、かつ装着性も良い。
【００３１】
また、実施例１と同様に、巻取り式ランヤード２，２の重量が作業員の前後に分散され、かつ作業員の肩部に加わるため、作業者はその重量で後ろ側に引かれることなく、ハーネス型安全帯１をセットし易い、また装着後も装着感が良い、という装着性が向上する。
【００３２】
前記巻取り器４１，４１は、作業者の両肩部上で、肩掛けベルト１１ａ，１１ｂに完全固定せずに、仮固定されている。従って、実施例１と同様に、万が一作業者が落下して衝撃荷重が加わったとき、巻取り器４１が作業者の両肩部上の肩掛けベルト１１ａ又は１１ｂより外れ、落下衝撃荷重がハーネス型安全帯の背中のＤ環１４に加わり、このＤ環１４に落下衝撃荷重が加わることにより、墜落阻止時における落下衝撃荷重が分散され、身体に与える損傷を低減させることができる。
【符号の説明】
【００３３】
１  ハーネス型安全帯
１１  肩掛けベルト
１２  腿掛けベルト
１３  連結環
１４  Ｄ環
１５  フックハンガー
２  巻取り式ランヤード
２１  ショックアブソーバ
２２  巻取り器
２２１  ベルト通し
２３  ストラップ
２４  フック
３  仮留め具
３１  ダミーベルト
３２  面ファスナー（フック面）
３３  面ファスナー（ループ面）
４  面ファスナー付き巻取り器
４１  巻取り器
４２  面ファスナー（フック面）
４３  面ファスナー（ループ面）
４４  リベット
４５  大径平座金
Ｌ  ダミーベルトの切断寸法
【図１】
2011224257.tif 000003
【図２】
2011224257.tif 000004
【図３】
2011224257.tif 000005
【図４】
2011224257.tif 000006
【図５】
2011224257.tif 000007
【図６】
2011224257.tif 000008
【図７】
2011224257.tif 000009